(57)【要約】【課題】一枚の印刷媒体に対して複数のページを面付けして印刷する場合に、不良ページを再面付けして再印刷することができなかった。【解決手段】複数のページの画像を示す画像データを取得し、前記画像データに基づいて複数の前記ページを印刷媒体に面付けし、前記面付けに従って印刷部に印刷を実行させ、前記印刷後の印刷媒体を検査する検査部の出力情報に基づいて不良ページを示す不良ページ情報を取得し、前記不良ページ情報に基づいて、前記不良ページを印刷するための再面付けを行い、前記印刷部に当該再面付けに基づく再印刷を実行させる。【選択図】図２
2009202436.tif 000002
【特許請求の範囲】
【請求項１】
複数のページの画像を示す画像データを取得する画像データ取得手段と、
前記画像データに基づいて複数の前記ページを印刷媒体に面付けする面付け処理手段と
、
前記面付けに従って印刷部に印刷を実行させる印刷制御手段と、
前記印刷後の印刷媒体を検査する検査部の出力情報に基づいて不良ページを示す不良ペ
ージ情報を取得する不良ページ情報取得手段と、
前記不良ページ情報に基づいて、前記不良ページを印刷するための再面付けを行い、前
記印刷部に当該再面付けに基づく再印刷を実行させる再印刷制御手段と、
を備える印刷制御装置。
【請求項２】
前記印刷制御手段は、印刷部が備える複数のインク吐出ノズル毎のインク吐出量の基準
からのずれが補正された状態で前記面付けに従って印刷を実行させるための印刷データを
生成し、当該印刷データに基づいて前記印刷部に印刷を実行させ、
前記再印刷制御手段は、前記不良ページを印刷したときの各画素と各インク吐出ノズル
との対応関係が維持されるように、前記印刷データに基づいて前記再面付けを行う、
請求項１に記載の印刷制御装置。
【請求項３】
前記再印刷制御手段は、前記対応関係を維持することによって前記印刷媒体に前記不良
ページを面付け可能な空きスペースが発生する場合には、前記再面付けにおいて当該空き
スペースに当該不良ページを面付けする、
請求項２に記載の印刷制御装置。
【請求項４】
前記面付け処理手段は、前記印刷媒体の両面に前記ページを面付けし、
前記再印刷制御手段は、前記不良ページと当該不良ページの裏に面付けされていたペー
ジとを前記印刷媒体のおもて面と裏面に面付けする、
請求項１〜請求項３のいずれかに記載の印刷制御装置。
【請求項５】
前記再印刷制御手段は、前記不良ページの面積の大きさ順に各不良ページを面付け可能
な前記印刷媒体の空きスペースを検索し、面付け可能な前記空きスペースに逐次各不良ペ
ージを面付けする、
請求項１〜請求項４のいずれかに記載の印刷制御装置。
【請求項６】
複数のページの画像を示す画像データを取得する画像データ取得工程と、
前記画像データに基づいて複数の前記ページを印刷媒体に面付けする面付け処理工程と
、
印刷部が備える複数のインク吐出ノズル毎のインク吐出量の基準からのずれが補正され
た状態で前記面付けに従って印刷を実行させるための印刷データを生成し、当該印刷デー
タに基づいて前記印刷部に印刷を実行させる印刷制御工程と、
前記印刷後の印刷媒体を検査する検査部の出力情報に基づいて不良ページを示す不良ペ
ージ情報を取得する不良ページ情報取得工程と、
前記不良ページ情報および前記印刷データに基づいて、前記不良ページを印刷したとき
の各画素と各インク吐出ノズルとの対応関係が維持されるように、前記不良ページを印刷
するための再面付けを行い、前記印刷部に当該再面付けに基づく再印刷を実行させる再印
刷制御工程と、
を含む印刷制御方法。
【請求項７】
複数のページの画像を示す画像データを取得する画像データ取得機能と、
前記画像データに基づいて複数の前記ページを印刷媒体に面付けする面付け処理機能と
、
印刷部が備える複数のインク吐出ノズル毎のインク吐出量の基準からのずれが補正され
た状態で前記面付けに従って印刷を実行させるための印刷データを生成し、当該印刷デー
タに基づいて前記印刷部に印刷を実行させる印刷制御機能と、
前記印刷後の印刷媒体を検査する検査部の出力情報に基づいて不良ページを示す不良ペ
ージ情報を取得する不良ページ情報取得機能と、
前記不良ページ情報および前記印刷データに基づいて、前記不良ページを印刷したとき
の各画素と各インク吐出ノズルとの対応関係が維持されるように、前記不良ページを印刷
するための再面付けを行い、前記印刷部に当該再面付けに基づく再印刷を実行させる再印
刷制御機能と、
をコンピュータに実現させる印刷制御プログラム。
【発明の詳細な説明】
【技術分野】
【０００１】
本発明は、面付けして印刷した場合の不良ページを再印刷する印刷制御装置、方法およ
びプログラムに関する。
【背景技術】
【０００２】
従来、印刷済の印刷媒体をカメラで撮影し、撮影結果に基づいて印刷不良の有無を検査
し、不良が発生している場合には当該不良ページを破棄して再印刷する印刷システムが知
られている（例えば、特許文献１〜３）。
【特許文献１】特開平９−２１６４４０号公報
【特許文献２】特開平９−２４０１２０号公報
【特許文献３】特開２００６−２９７７３９号公報
【発明の開示】
【発明が解決しようとする課題】
【０００３】
従来の技術においては、一枚の印刷媒体に対して複数のページを面付けして印刷する場
合に、不良ページを再面付けして再印刷することができなかった。すなわち、従来の技術
においては、不良ページの除去や両面時の再印刷等について開示されているが、複数のペ
ージを一枚の印刷媒体に面付けする印刷については開示されていない。
本発明は、上記課題にかんがみてなされたもので、一枚の印刷媒体に対して複数のペー
ジを面付けして印刷する場合であっても不良ページを適切に再面付けして再印刷すること
を目的とする。
【課題を解決するための手段】
【０００４】
上記の目的を達成するため、本発明においては、印刷媒体を検査する検査部の出力情報
に基づいて、複数のページを印刷媒体に面付けして印刷を行った場合の不良ページを示す
不良ページ情報を取得する。そして、当該不良ページ情報に基づいて、不良ページを印刷
するための再面付けを行い、印刷部に当該再面付けに基づく再印刷を実行させる。このた
め、複数のページを印刷媒体に面付けして印刷した各ページの一部または全部に印刷不良
が発生したとしても、その不良ページは印刷媒体に対して再面付けされるので、不良ペー
ジを再印刷する際に適切な印刷結果を得ることができる。例えば、特定の綴じ方で印刷す
るように面付けを行ったページが不良ページとなった場合、綴じ方によっては不良ページ
の印刷媒体上での印刷位置が限定され、また、他のページの再印刷が必要になるなど、適
切な再印刷に再面付けが必要になる場合がある。そこで、本発明は不良ページを印刷する
ための再面付けを行って再印刷を行う。この結果、不良ページを適切に再印刷することが
できる。
【０００５】
ここで、面付け処理手段は、複数のページを印刷媒体に面付けする処理を行うことがで
きれば良く、画像データに含まれる印刷条件や利用者が指示する印刷条件に従って複数の
ページを印刷媒体に面付けする。例えば、印刷媒体の大きさ、ページの大きさ、両面印刷
の有無、綴じ方等を指定した印刷条件によれば、印刷媒体へのページの面付けを特定する
ことが可能であるため、公知のアルゴリズムによって面付けを行う。
【０００６】
印刷制御手段は、面付けに従って印刷部に印刷を実行させることができれば良く、面付
けに従って各ページを印刷させるためのデータを印刷部に出力し、印刷を実行させればよ
い。むろん、ここでは、必要に応じて画像データに対して所定の処理を行っても良く、例
えば、画像データに対して補間処理や色変換処理、ハーフトーン処理等を行って画素毎の
データを生成し、当該データに基づいて画素毎にインクやトナーを記録するように印刷部
を制御することができればよい。
【０００７】
不良ページ情報取得手段は、検査部の出力情報に基づいて不良ページ情報を取得するこ
とができれば良く、当該不良ページ情報は再面付け行う際に不良ページを特定可能に構成
されていればよい。例えば、複数のページから不良のページを特定するための情報として
のページ番号によって不良ページ情報を構成してもよいし、他の情報、例えば、不良ペー
ジの印刷位置を示す情報や不良ページが印刷された印刷媒体を特定するための情報等を不
良ページ情報に含めても良い。
【０００８】
なお、検査部は、印刷後の印刷媒体を検査することができれば良く、印刷部による印刷
後の印刷媒体を撮影するカメラや当該印刷媒体に印刷された画像を読み取るスキャナ等に
よって構成することが可能である。すなわち、カメラやスキャナの出力情報が示す画像と
、印刷したページの画像データが示す画像とを比較することによって、ドットの抜けやイ
ンク，トナー等の不正な記録等を不良として特定することが可能である。
【０００９】
再印刷制御手段は、不良ページ情報に基づいて、不良ページを印刷するための再面付け
を行い、当該再面付けに基づく再印刷を実行させることができればよい。すなわち、少な
くとも不良ページを再度面付けし、印刷条件に応じて必要があれば不良ページとともに他
のページを再度面付けする。そして、当該面付けした不良ページ（他のページも面付けし
た場合には当該他のページを含む）を再印刷する。この結果、適切な面付けを行った状態
で再印刷を実行することが可能になる。むろん、再印刷に際しては、印刷制御手段と同様
に適宜必要な画像処理を行えばよい。なお、印刷部においては、再印刷を行うための機構
と、再印刷以前の初回印刷を行うための機構とを共通の機構で構成してもよいし、別個の
機構で構成してもよく種々の構成を採用可能である。
【００１０】
さらに、複数のノズルからインクを吐出して画像を印刷するインクジェット方式に適用
して好適な構成例として、各画素に対してインクを吐出するインク吐出ノズルを、初回の
印刷時と再印刷時とにおいて一致させる構成を採用しても良い。インクジェット方式にお
いては、ノズル毎にインクの吐出特性が異なるため、一般に、インク吐出ノズル毎に基準
吐出量のずれを補正しながら各ノズルにおけるインクの吐出量を規定した印刷データを生
成する。すなわち、ハーフトーン処理を行って各画素を形成する際のインク吐出量を決定
するが、この処理のとき、あるいは処理の前後にノズル毎に基準吐出量からのずれを補正
して印刷を行うように印刷データを生成する。従って、この構成において印刷データは、
各ページを印刷媒体に面付けした状態における各画素に対応する各インク吐出ノズルのイ
ンク吐出量を規定し、かつ、上述の補正を含めた状態で各インク吐出ノズルのインク吐出
量を規定している。
【００１１】
そこで、当該印刷データに基づいて前記不良ページを印刷したときの各画素と各インク
吐出ノズルとの対応関係が維持されるように、当該印刷データに基づいて再面付けを行う
。この構成によれば、インク吐出量の補正を含めた処理を再度実行することなく印刷デー
タを流用しても、適切な補正がなされた状態で再印刷を実行するための再面付けを行うこ
とができる。
【００１２】
なお、当該構成は、印刷媒体の搬送方向に垂直な方向の印刷範囲を網羅するインク吐出
ノズルを備えたインクヘッドに適用しても良いし、インクヘッドによって印刷媒体の搬送
方向に垂直な方向の印刷範囲の一部または全部を走査する構成に適用しても良い。前者に
おいては、初回印刷時と再印刷時とで印刷媒体の搬送方向に垂直な方向の位置を変えずに
不良ページを再面付けし、ページ先頭以降での走査方式を共通の方式とすれば、各画素と
各インク吐出ノズルとの対応関係を一致させることができる。後者においては、印刷媒体
の搬送方向に垂直な方向の位置を変えて不良ページを再面付けしても、各画素と各インク
吐出ノズルとの対応関係を一致させることは可能である。
【００１３】
さらに、初回の印刷時と再印刷時とにおいて同じ印刷データを流用することで、各画素
と各インク吐出ノズルとの対応関係を維持する構成を原則としつつも、必要に応じて印刷
媒体の無駄を省く処理を実施する構成としても良い。すなわち、各画素と各インク吐出ノ
ズルとの対応関係を、初回の印刷時と再印刷時とで一致させることにより、印刷媒体に空
きスペースが発生する場合、前記再面付けにおいて当該空きスペースに不良ページを面付
けする。この場合、当該空きスペースに面付けされた不良ページに関しては上述の対応関
係を維持できないが、空きスペースを埋めることで印刷媒体に無駄な空きスペースを発生
させることなく再印刷を行うことが可能になる。むろん、この場合であっても一部の不良
ページを印刷するための印刷データは初回印刷時のデータを流用することが可能である。
【００１４】
さらに、適切な再印刷を行うための構成例として、両面印刷時に不良ページの裏面を面
付けして印刷を行う構成を採用可能である。すなわち、面付け処理手段において印刷媒体
の両面にページを面付けして印刷を行った場合には、再印刷制御手段において不良ページ
と当該不良ページの裏に面付けされていたページとを印刷媒体の表裏に再面付けする。こ
の構成によれば、両面印刷時であっても適切な再印刷を行うための再面付けを行うことが
できる。
【００１５】
さらに、再面付けの際に印刷媒体の無駄を省く構成を採用しても良い。例えば、面付け
対象となる複数のページの大きさが相互に異なり得る場合、できるだけ空きスペースが発
生しないように再面付けを行うことが好ましい。すなわち、大きさが異なり得る複数の不
良ページの再面付けを行う際に、前記不良ページの面積の大きさ順に、各不良ページを面
付け可能な印刷媒体の空きスペースを検索し、面付け可能な前記空きスペースに逐次各不
良ページを面付けする。この構成によれば、空きスペースができるだけ少なくなるように
再面付けを行うことが可能になり、印刷媒体の無駄を省くことが可能である。なお、空き
スペースの検索に際しては、予め印刷媒体に通し番号を設定しておき、当該通し番号が小
さい印刷媒体から順に空きスペースを検索すればよい。
【００１６】
さらに、本発明のように不良ページを再面付けして再印刷する手法は、プログラムや方
法としても適用可能である。また、以上のような印刷制御装置、プログラム、方法は、単
独の印刷制御装置として実現される場合もあれば、複数の装置を組み合わせることによっ
て実現される場合もあり、各種の態様を含むものである。例えば、コンピュータと印刷制
御装置が協働することによって本発明にかかる印刷制御装置や方法、プログラムを提供す
ることが可能である。また、一部がソフトウェアであり一部がハードウェアであったりす
るなど、適宜、変更可能である。さらに、印刷制御装置を制御するプログラムの記録媒体
としても発明は成立する。むろん、そのソフトウェアの記録媒体は、磁気記録媒体であっ
てもよいし光磁気記録媒体であってもよいし、今後開発されるいかなる記録媒体において
も全く同様に考えることができる。
【発明を実施するための最良の形態】
【００１７】
ここでは、下記の順序に従って本発明の実施の形態について説明する。
（１）印刷制御装置の構成：
（２）印刷制御処理：
（２−１）印刷例１：
（２−２）印刷例２：
（２−３）印刷例３：
（３）第２実施形態：
（３−１）印刷例：
（４）第３実施形態：
（４−１）印刷例：
（５）他の実施形態：
【００１８】
（１）印刷制御装置の構成：
図１は、コンピュータを本発明にかかる印刷制御装置１０として機能させる実施形態を
示すブロック図である。印刷制御装置１０は、ＲＡＭ，ＲＯＭ，ＣＰＵ等を備える制御部
２０を備えており、ＲＯＭ等に記録されたプログラムを制御部２０で実行することができ
る。本実施形態においては、このプログラムの一つとして印刷制御プログラム２１を実行
可能であり、当該印刷制御プログラム２１はその機能の一つとしてページを印刷媒体に面
付けして印刷し、不良ページについては再面付けして再印刷する機能を備えている。
【００１９】
また、印刷制御装置１０は、外部機器との図示しないインタフェースを備えており、当
該インタフェースを介して他のコンピュータや記録媒体等に記録された画像データ４１を
取得する。さらに、印刷制御装置１０は、インタフェースを介して印刷部３０や検査部３
１に接続されている。印刷部３０は、複数のインク吐出ノズルを備えた印刷ヘッド３０ａ
と印刷媒体Ｐを搬送する搬送部３０ｂとを備えており、搬送部３０ｂにて印刷媒体Ｐを搬
送しながらインク吐出ノズルからインクを吐出させ、画像を印刷することができる。なお
、本実施形態における印刷ヘッド３０ａは、印刷媒体Ｐの搬送方向Ｄに垂直な方向に沿う
当該印刷媒体Ｐの全長に渡ってインクを吐出することが可能である。すなわち、印刷部３
０は、印刷媒体Ｐの搬送方向に垂直な方向には走査を行わない方式にて印刷を行う。検査
部３１は、搬送部３０ｂにて搬送される印刷媒体Ｐの画像を取得する読み取り装置であり
、印刷ヘッド３０ａによる印刷済の印刷媒体Ｐを読み取って当該印刷媒体Ｐの画像を示す
印刷済画像データを取得する。
【００２０】
印刷制御装置１０は、複数のページの画像を示す画像データ４１に基づいて複数のペー
ジを印刷媒体に面付けし、当該面付けに従って印刷を行わせるための印刷データを生成し
て印刷部３０に対して出力する。印刷部３０は、当該印刷データに基づいて印刷を行い、
検査部３１は当該印刷済の印刷媒体Ｐの画像を示す印刷済画像データを出力する。印刷制
御装置１０は、当該印刷済画像データに基づいて不良ページが存在するか否かを検査し、
不良ページが存在した場合には当該不良ページを再面付けして再印刷する。
【００２１】
（２）印刷制御処理：
以上の処理は、印刷制御プログラム２１が制御部２０に所定の処理を行わせることによ
って実現され、本実施形態において印刷制御プログラム２１は画像データ取得部２１ａ、
面付け処理部２１ｂ、印刷制御部２１ｃ、不良ページ情報取得部２１ｄ、再印刷制御部２
１ｅの各モジュールを備えている。印刷制御処理においては、予め印刷条件を指定して印
刷処理を開始する。なお、印刷条件は、印刷媒体の大きさ、印刷媒体に印刷される各ペー
ジの大きさ、両面印刷の有無、綴じ方の指定等を示す情報である。
【００２２】
印刷処理が開始されると、制御部２０が画像データ取得部２１ａの処理により複数のペ
ージの画像を示す画像データ４１を取得し（ステップＳ１００）、面付け処理部２１ｂの
処理により画像データ４１が示す各ページを印刷媒体に対して面付けする（ステップＳ１
０５）。ここでは、印刷条件に応じた印刷物を得るために各ページを印刷媒体に対して面
付けすることができれば良く、公知のアルゴリズムによって面付けを行う。この結果、画
像データ４１に含まれる複数の印刷対象ページのそれぞれについて、印刷媒体上の位置や
向きを示す情報が生成される。
【００２３】
次に、制御部２０は印刷制御部２１ｃの処理により、面付けに従って印刷部３０に印刷
を実行させるための印刷データを生成する（ステップＳ１１０）。本実施形態において、
印刷制御部２１ｃは、画像調整部２１ｃ１と色変換処理部２１ｃ２とハーフトーン処理部
２１ｃ３との各モジュールを備えており、これらのモジュールによって印刷データが生成
される。
【００２４】
より具体的には、画像調整部２１ｃ１の処理により、制御部２０は、印刷条件（解像度
等）に応じた印刷であって、上述の面付け通りの印刷を行うためのイメージデータを生成
する。すなわち、制御部２０は、印刷解像度に応じた画素数の画素平面を一枚の印刷媒体
Ｐに対して対応付け、画像データ４１に基づいて補間処理を行うことによって、当該画素
平面の各画素の階調値を決定して前記イメージデータを生成する。また、このとき、前記
面付け通りに各ページが印刷されるように各ページを構成する画素を前記画素平面に配置
して各画素の階調値を決定する。なお、必要に応じて印刷物の画質を向上するためのシャ
ープネス強調処理等も実施する。
【００２５】
当該画像調整部２１ｃ１の処理によって生成されるデータはＲＧＢ表色系やＹＣＣ表色
系等で表現されたデータであり、制御部２０は、色変換処理部２１ｃ２の処理によりＲＧ
Ｂ表色系やＹＣＣ表色系等で表現されたデータの表色系を、インクの色を色成分としたイ
ンク表色系に変換する。さらに、制御部２０は、ハーフトーン処理部２１ｃ３の処理によ
り、上述の色変換後のデータに基づいて、各ページを構成する各画素に記録するインクの
量（インク吐出の有無やインク滴当たりのインク量）を示すデータを生成する。なお、本
実施形態において、走査方式（印刷媒体Ｐの搬送手順等）は予め決められており、ハーフ
トーン処理を行う段階で、各画素に対応する各インク吐出ノズルは決定されている。従っ
て、ハーフトーン処理によって各画素に記録するインクの量を決定することと、各画素に
対応する各インク吐出ノズルにおけるインク吐出量を決定することとは等価である。
【００２６】
ステップＳ１１０にて、印刷データが生成されると、制御部２０は、印刷部３０に印刷
を実行させる（ステップＳ１１５）。すなわち、制御部２０は、印刷制御部２１ｃの処理
により、印刷データを印刷部３０に対して出力する。印刷部３０においては、当該印刷デ
ータを取得すると、当該印刷データが示す各インク吐出ノズルにおけるインク吐出量に従
って逐次インクを吐出する処理を行い、印刷媒体Ｐ上に各ページを印刷する。なお、制御
部２０は、ステップＳ１１５において、印刷データを記録媒体２２に記録しておく（印刷
データ２２ａ）。
【００２７】
印刷部３０によって印刷が実行されると、印刷済の印刷媒体Ｐは搬送部３０ｂによって
逐次検査部３１の読取範囲に搬送される。このとき、検査部３１は、当該印刷媒体Ｐにお
ける印刷済の面を読み取り、読み取り結果を示す印刷済画像データを印刷制御装置１０に
対して出力する。制御部２０は、不良ページ情報取得部２１ｄの処理によって、当該画像
データに基づいて不良ページを示す不良ページ情報を取得する（ステップＳ１２０）。す
なわち、印刷済画像データは印刷媒体Ｐに対する印刷結果に対応しているため、制御部２
０は、印刷済画像データが示す画像と印刷データが示す画像とを比較することによって、
印刷済画像データが示す印刷結果に不良（例えば、ドット抜けやインクの不正な記録）が
発生しているか否かを判定する。不良が発生している場合には、当該不良が発生している
ページを不良ページとし、当該不良ページを示す不良ページ情報２２ｂを記録媒体２２に
記録する。
【００２８】
次に、印刷制御部２１ｃは、上述の画像データ４１に含まれるすべてのページについて
印刷が終了したか否かを判別し（ステップＳ１２５）、すべてのページについて印刷が終
了したと判別されるまでステップＳ１１０以降の処理を繰り返す。ステップＳ１２５にて
、すべてのページについて印刷が終了したと判別された場合、制御部２０は、再印刷制御
部２１ｅの処理により、印刷不良が発生したか否かを判別する（ステップＳ１３０）。す
なわち、制御部２０は記録媒体２２を参照し、いずれかのページが不良であることを示す
不良ページ情報２２ｂが記録媒体２２に記録されているときには印刷不良が発生したと判
別する。ステップＳ１３０にて、印刷不良が発生したと判別されない場合には印刷制御処
理を終了する。
【００２９】
一方、ステップＳ１３０にて、印刷不良が発生したと判別された場合、制御部２０は、
再印刷制御部２１ｅの処理により、不良ページを再面付けし（ステップＳ１３５）、ステ
ップＳ１１０以降の処理を繰り返す（不良ページについて再印刷を行う）。すなわち、制
御部２０は、不良ページ情報２２ｂを参照して不良ページを特定し、当該不良ページにつ
いて、上述の印刷条件に対応した印刷を行うように印刷媒体上の配置を決定することによ
って再面付けを行う。また、このとき、再面付けされた不良ページの印刷媒体上の位置や
向きを示す情報を生成する。
【００３０】
なお、本実施形態において、当該再面付け後に繰り返されるステップＳ１１０において
は、記録媒体２２に記録済の印刷データ２２ａを流用して再面付けに基づく印刷を実行さ
せるための印刷データを生成する。すなわち、初回の印刷のために生成された印刷データ
２２ａから不良ページのデータ（ハーフトーン処理後のデータ）を抽出し、上述の面付け
に従って、上述の画素平面に対して当該ハーフトーン処理後のデータを再配置する。一枚
の印刷媒体への不良ページの再配置が完了すると、ステップＳ１１５において当該再配置
後のハーフトーン処理データから構成される再面付け後の印刷データを生成し、印刷部３
０に対して出力する。すなわち、再印刷を行う。そして、不良ページの再印刷が完了する
までステップＳ１１０〜Ｓ１２５を繰り返す。
【００３１】
以上の処理によれば、複数のページを印刷媒体に面付けして印刷した各ページの一部ま
たは全部に印刷不良が発生したとしても、その不良ページは印刷媒体に対して再面付けさ
れるので、不良ページを再印刷する際に適切な印刷結果を得ることができる。例えば、特
定の綴じ方で印刷する印刷条件で印刷したページが不良ページとなった場合、綴じ方によ
っては不良ページの印刷媒体上での印刷位置が限定され、また、他のページの再印刷が必
要になるなど、適切な再印刷に再面付けが必要になる場合がある。そこで、本発明は不良
ページを印刷するための再面付けを行って再印刷を行う。この結果、不良ページを適切に
再印刷することができる。また、空きスペースが発生しないように面付けを行えば、印刷
媒体の無駄を発生させることなく印刷を行うことができる。なお、以上の処理においては
、初回の印刷時に作成済みの印刷データを再印刷時に流用することとしたが、むろん、印
刷データを流用せず画像調整部２１ｃ１と色変換処理部２１ｃ２とハーフトーン処理部２
１ｃ３とのいずれかまたは組み合わせによる処理を行って印刷データを再生成してもよい
。
【００３２】
（２−１）印刷例１：
次に、以上の処理における印刷の例を説明する。図３Ａは、印刷媒体の片面に対して４
ページ分の面付けを行い、計１６ページの印刷を行う場合の印刷例を示している。なお、
図３Ａにおいては各印刷媒体Ｐを矩形で示し、当該矩形の中の４個の矩形にて各ページを
示している。また、各ページを示す矩形内には各ページのページ番号を示す数値を付記し
ている。さらに、各印刷媒体Ｐに関し、添え字の文字ｆは初回印刷を示し、文字ｆの次の
数値は初回印刷時の印刷媒体の通し番号を示し、添え字の文字ｒは再印刷を示し、文字ｒ
の次の数値は再印刷時の印刷媒体の通し番号を示している。
【００３３】
すなわち、この例においては、初回の印刷時に計４枚の印刷媒体に各４ページ、計１６
ページを面付けして印刷し、再印刷を１回実施した例を示している。さらに、図３Ａにお
いては、ページを示す矩形内に×を付記することによって不良ページの発生を示しており
、同図３Ａに示す例では初回印刷においてページ番号１，５，９，１３が不良ページであ
ったことを示している。すなわち、図２に示す処理において、ステップＳ１０５にて図３
Ａの印刷媒体Ｐf1〜Ｐf4に示すように面付けを行って、ステップＳ１１０にて当該面付け
に従って印刷を実行させる印刷データを生成し、ステップＳ１１５にて初回印刷を行う。
ここでは、この結果、図３Ａに示すように各ページが印刷され、ページ番号１，５，９，
１３が不良ページであった場合を想定する。
【００３４】
この場合、ステップＳ１２５，Ｓ１３０の判別を経て不良ページが存在すると判別され
、ステップＳ１３５にて不良ページの再面付けが行われる。図３Ａに示す例では、ページ
番号１，５，９，１３が不良ページであるため、ステップＳ１３５では不良ページ情報２
２ｂを参照してこれらの不良ページを特定し、これらの不良ページをページの番号順に印
刷媒体に再面付けする。この例においては、片面印刷であるため、印刷媒体Ｐr1に示すよ
うに各ページを詰めた状態で再面付けが行われる。また、ステップＳ１１０では、この再
面付けに従って印刷を行うようにハーフトーン処理後のデータを並べ替えて印刷媒体Ｐr1
に対して印刷を行うための印刷データを生成し、ステップＳ１１５にて再印刷が行われる
。この結果、図３Ａに示すように、不良ページであるページ番号１，５，９，１３が印刷
された印刷媒体Ｐr1を得ることができる。なお、この例においては不良ページを詰めた状
態で再面付けを行うので、印刷媒体の無駄を発生させることがない。
【００３５】
（２−２）印刷例２：
図３Ｂは、印刷媒体の両面のそれぞれに対して４ページ分の面付けを行い、計１６ペー
ジの印刷を行う場合の印刷例を示している。なお、図３Ｂにおいても図の矩形や番号、添
え字の意味は図３Ａと同様であり、これ以降の図においても同様である。また、本例にお
いては、印刷媒体Ｐの両面に対して印刷を実施するため、両面に対する印刷を実施できる
ように印刷部３０を構成し、両面の印刷結果を検査できるように検査部３１を構成する。
例えば、図１の括弧内に示すように印刷部３０が印刷媒体反転ユニット３２を備える構成
とし、印刷部３０にて一旦印刷した印刷媒体Ｐを印刷媒体反転ユニット３２に搬送し、当
該印刷媒体反転ユニット３２にて反転した後、さらに印刷ヘッド３０ａに対して印刷媒体
Ｐを搬送するように構成する。なお、図１においては、太い矢印は印刷媒体Ｐの搬送経路
を示している。当該印刷媒体反転ユニット３２以外の構成は図１に示す構成と同様であり
、処理は図２に示す処理と同様である。
【００３６】
図３Ｂに示す例においては、初回の印刷時に計２枚の印刷媒体の各面に４ページ、計１
６ページを面付けして印刷し、再印刷を１回実施した例を示している。また、この例では
初回印刷においてページ番号１，３，１３，１６が不良ページであった場合を想定してい
る。この場合、ステップＳ１３５にて不良ページであるページ番号１，３，１３，１６の
ページについて再面付けが行われる。但し、本例の印刷条件は両面印刷であるため、不良
ページのおもて裏双方を印刷媒体に面付けする。例えば、図３Ｂにて印刷媒体Ｐr1のおも
て面に不良ページであるページ番号１，３，１３のページを面付けし、不良ページである
ページ番号１６の裏に相当するページ番号１５をおもて面に面付けする。また、ページ番
号１，３，１３，１５の裏面に相当するページ番号２，４，１４，１６を各ページ番号に
対応させて印刷媒体の裏面に面付けする。以上のように面付けを行うと、ステップＳ１１
０において当該面付けに従って印刷データを生成し、ステップＳ１１５にて再印刷を行う
。この結果、図３Ｂに示すように、両面の一方が不良ページであったとしても適正な両面
印刷を行うように再面付けして印刷を行うことができる。
【００３７】
（２−３）印刷例３：
さらに、異なる大きさの複数のページを印刷媒体に対して面付けする場合に本発明を適
用しても良い。本例も上述の実施形態とほぼ同様の構成によって実現することができる。
すなわち、異なる大きさのページを印刷媒体Ｐに対して面付けすることができれば良い。
但し、本例においては、印刷媒体Ｐに無駄が発生することを防止するため、不良ページを
面積の大きさ順にソートして当該面積の大きさ順に面付け可能であるか否かを判定しなが
ら再面付けを行う構成としている。
【００３８】
図４は、本例における再面付け時の処理を示すフローチャートであり、本例においては
図２の処理におけるステップＳ１３５にて当該図４に示す処理が実行される。また、図５
は、計１２ページの異なる大きさのページを計４枚の印刷媒体Ｐに対して面付けして印刷
を行う場合の印刷例を示している。なお、図５においては矩形の印刷媒体Ｐの内側におい
て矩形や多角形でページの形状および大きさを示している。図５に示す例においては、初
回印刷においてページ番号１，７，８，１２が不良ページであった場合を想定している。
この場合、ステップＳ１３５にて不良ページであるページ番号１，７，８，１２について
再面付けが行われる。
【００３９】
但し、本例においては、異なる大きさのページを再面付けするために、画像データ取得
部２１ａ，面付け処理部２１ｂ，印刷制御部２１ｃ，不良ページ情報取得部２１ｄのいず
れかによってページの大きさを示す情報を取得し、不良ページ情報２２ｂに対応付けてお
く。そして、ステップＳ１３５において図４に示すステップＳ２００〜Ｓ２２０を実行し
て再面付けを行う。すなわち、制御部２０は、不良ページ情報２２ｂを参照して不良ペー
ジの中で最大の大きさのページを抽出し（ステップＳ２００）、当該最大の大きさの不良
ページを印刷媒体Ｐr1に面付けする（ステップＳ２０５）。図５に示す例において、ペー
ジ番号１，７，８，１２の中で最大の大きさのページはページ番号１であるため、ステッ
プＳ２００，Ｓ２０５においては、ページ番号１のページを印刷媒体Ｐr1に面付けする。
【００４０】
さらに、制御部２０は、不良ページの面付けが終了したか否かを判別し（ステップＳ２
１０）、当該ステップＳ２１０にて不良ページの面付けが終了したと判別されるまでステ
ップＳ２１５以降の処理を繰り返す。すなわち、空きスペースを検索し、面付け可能な空
きスペースに不良ページを面付けする。具体的には、ステップＳ２１５において不良ペー
ジ情報２２ｂを参照し、直前に面付けした不良ページの次に面積が小さい不良ページを取
得する。また、ステップＳ２２０においては、印刷媒体の空きスペースに当該不良ページ
を配置可能であるかを媒体番号（印刷媒体の通し番号）が小さいものから順に判定し、不
良ページを配置可能であると最初に判定された印刷媒体に対して当該不良ページを配置す
る。
【００４１】
例えば、図５に示す例において、ページ番号１のページの次に小さいページはページ番
号７のページであるため、ページ番号１を面付けした直後のステップＳ２１５においては
当該ページ番号７が面付け対象のページとなる。そして、ステップＳ２２０においては、
ページ番号１のページが面付けされた状態における印刷媒体Ｐr1の空きスペース（印刷媒
体Ｐr1にページ番号１が面付けされた状態における、当該ページ以外の部位）にページ番
号７のページを配置可能であるか否かを判定する。この例において、ページ番号７のペー
ジは、ページ番号１のページが面付けされた状態における印刷媒体Ｐr1の空きスペースに
配置不可能である。
【００４２】
そこで、ステップＳ２２０において、他の印刷媒体（印刷媒体Ｐr2）を面付け対象とす
る。このとき、印刷媒体Ｐr2に対してはいずれのページも面付けされていないため全面が
空きスペースである。従って、印刷媒体Ｐr2に対してページ番号７のページを面付けする
ことができると判定し、当該印刷媒体Ｐr2に対してページ番号７のページを配置して面付
けを行う。ステップＳ２２０を行うと、さらにステップＳ２１０以降の処理を繰り返す。
この結果、図５に示す例においては、印刷媒体Ｐr1，Ｐr2に示すように各不良ページが面
付けされる。従って、ページ番号８のページを印刷媒体Ｐr1に配置することができるなど
、各ページを詰めた状態で再面付けが行われ、印刷媒体の無駄を発生させることがない。
【００４３】
（３）第２実施形態：
さらに、本発明においては、初回の印刷時と再印刷時とにおいて各画素と各インク吐出
ノズルとの対応関係を維持する構成を採用しても良い。当該実施形態は、例えば、図１に
示す構成において、図２に示す処理の一部を変更した処理を実行することによって実現さ
れる。図６に示す処理は本実施形態における処理を示すフローチャートであり、同図６は
、図２に示すステップＳ１１０をステップＳ１１０ａ，Ｓ１１０ｂ、図２に示すステップ
Ｓ１３５をステップＳ１３５ａにて置換したものであり、これらのステップにおける処理
が上述の第１実施形態と異なっている。
【００４４】
すなわち、本実施形態においては、印刷制御部２１ｃの処理により、制御部２０が印刷
ヘッド３０ａのインク吐出ノズル毎のインク吐出量の基準からのずれを補正する処理を行
う。具体的には、印刷部３０において、ハーフトーン処理後のデータによって指定される
インク吐出量にて基準量のインクを吐出するように各インク吐出ノズルの特性を調整する
が、製造時のばらつきや経時変化等の影響を受けてノズル毎の吐出量が基準量からずれる
こともある。そこで、本実施形態においては、予め各インク吐出ノズルにおけるインク吐
出量の基準からのずれを測定しておき、当該ずれを補償するように補正を行う。例えば、
画像調整部２１ｃ１の処理により、基準量より多い（あるいは少ない）量のインクを吐出
するノズルに対応する画素の階調値を小さく（あるいは大きく）してインクのずれを補正
する構成を採用可能である。むろん、色変換処理部２１ｃ２の処理において色変換を行う
際に当該インクのずれを補正しても良いし、ハーフトーン処理部２１ｃ３の処理において
インクの吐出量を規定する際に当該インクのずれを補正しても良い。
【００４５】
また、初回印刷時のステップＳ１１０ｂにおいては、画像データ４１が示す複数のペー
ジに関するハーフトーン処理後のデータをステップＳ１０５における面付けに従って上述
の画素平面に配置して各ページを印刷するための印刷データ２２ａを生成し、記録媒体２
２に記録する。そして、ステップＳ１１５において、当該印刷データ２２ａに基づく印刷
を行い、ステップＳ１２０にて不良ページ情報を取得する。図７は、以上の構成および処
理による印刷の例を示す図である。また、図７Ａにおいては、図３Ａに示す例と同様に印
刷媒体の片面に対して４ページ分の面付けを行い、計１６ページの印刷を行う場合の印刷
例を示している。さらに、図７Ａにおいて×を付記して示すように、この例においては初
回印刷においてページ番号１，８，１２，１３が不良ページであった場合を想定している
。
【００４６】
この例においては、ステップＳ１３０の判別を経て再印刷を行うが、このとき、図６の
ステップＳ１３５ａに示すように、各画素と各インク吐出ノズルとの対応関係を初回印刷
時と再印刷時とで維持させながら不良ページを再面付けする。この例においては、印刷媒
体の搬送方向に垂直な方向の位置が初回印刷時と再印刷時とで一致するように不良ページ
の配置を決定するとともに、本実施形態における走査方式に従って走査を行ったときに、
各画素と各インク吐出ノズルとの対応関係が初回印刷時と再印刷時とで一致するように構
成する。すなわち、図１に示す印刷部３０において、印刷ヘッド３０ａは印刷媒体Ｐの搬
送方向に垂直な方向に沿う当該印刷媒体Ｐの全長に渡ってインクを吐出することが可能で
ある。また、印刷ヘッド３０ａのノズル数に応じて適宜印刷媒体Ｐの搬送量が決められて
おり、所定の周期で特定の搬送手順を繰り返しながら印刷を行う。従って、本実施形態に
おいては、各画素の位置が印刷媒体Ｐの搬送方向に対して垂直な方向に変動しないように
構成し、初回印刷時と再印刷時とにおいて共通の周期で各画素にインクを記録するように
構成すれば各画素に対応する各インク吐出ノズルは変化しない。そこで、本実施形態にお
いては、不良ページを再面付けする際に、印刷媒体Ｐの搬送方向に対して垂直な方向の位
置を初回印刷時と再印刷時とで変えないように、かつ、走査の周期が変動しないように不
良ページを再面付けする。図７に示す例において、印刷媒体Ｐはその長辺に平行な方向に
搬送される。また、この例において、印刷媒体Ｐの上部に配置されるページと下部に配置
されるページとのそれぞれは同じ走査周期によってインクが記録される。そこで、本例に
おいては、初回印刷時に紙面の左側に面付けされるページは左側に再面付けし、初回印刷
時に紙面の右側に面付けされるページは右側に再面付けする。具体的には、ページ番号１
，８，１２，１３が不良ページであるとき、図７に印刷媒体Ｐr1に示すように、ページ番
号１，１３のページを左側に面付けし、ページ番号８，１２のページを右側に面付けする
。
【００４７】
以上のようにして再面付けを行うと、当該再面付けに従った印刷を行うための印刷デー
タをステップＳ１１０ｂにて生成し、ステップＳ１１５にて再印刷を行う。なお、ステッ
プＳ１１０ｂにおける印刷データの生成では、ステップＳ１１０ａにて生成した初回印刷
用の印刷データ２２ａを流用して再面付けに基づく印刷を実行させるための印刷データを
生成する。すなわち、当該初回印刷用の印刷データ２２ａに含まれるハーフトーン処理後
のデータは、各インク吐出ノズルにおけるインク吐出量の基準からのずれを補正した結果
を反映している。また、上述のように初回の印刷時と再印刷時とにおいて各画素と各イン
ク吐出ノズルとの対応関係が維持されるように再面付けが行われている。従って、ステッ
プＳ１１０ａにて生成されたハーフトーン処理後のデータを流用して印刷データを作成す
ると、各インク吐出ノズルに関する上述の補正がそのまま適正な補正となる。以上の構成
によれば、インク吐出量の補正を含めた処理を再度実行することなく、適切な補正がなさ
れた状態で再印刷を実行するための再面付けを行うことができる。なお、図７Ａに示す面
付けは一例であり、本実施形態を上述の印刷例２のような両面印刷に適用しても良いし、
印刷例３のような、異なる大きさのページの面付けに対して適用しても良い。
【００４８】
（３−１）印刷例：
さらに、第２実施形態において、初回の印刷時と再印刷時とにおいて各画素と各インク
吐出ノズルとの対応関係を一致させるために印刷媒体の無駄が発生する場合には、印刷デ
ータ（ハーフトーン処理後のデータ）を流用しないこととして当該無駄の発生を防止する
ことも可能である。例えば、図７Ｂに示すように、第２実施形態における初回印刷にてペ
ージ番号１，８，１２，１６のページが不良ページとなったとき、ページ番号８，１２，
１６は初回印刷時に印刷媒体Ｐの右側に面付けされていたページである。従って、初回の
印刷時と再印刷時とにおいて各画素と各インク吐出ノズルとの対応関係を一致させながら
、４ページ分の不良ページを一枚の印刷媒体Ｐに面付けすることはできない。
【００４９】
そこで、図７Ｂに示すように、例えば、ページ番号１６については左側に面付けするこ
ととする。このとき、ページ番号１，８，１２のページについては既に作成済みの印刷デ
ータを流用することができる。ページ番号１６のページについては、印刷媒体Ｐの左側に
面付けすることとし、再度、ステップＳ１１０ａにおける処理を行ってインク吐出ノズル
における吐出量ずれを補正した状態でハーフトーン処理後のデータを生成し、印刷データ
を生成する。この構成によれば、図７Ｂにおいて、印刷媒体Ｐr1として示すように一枚の
印刷媒体Ｐに４ページ分の不良ページを面付けして再印刷を行うことが可能になり、印刷
媒体の無駄が発生することを防止することができる。なお、印刷データ（ハーフトーン処
理後のデータ）を流用することを優先するのであれば、空きスペースを許容して再面付け
を行う構成を作用することが可能である。
【００５０】
（４）第３実施形態：
さらに、本発明においては、汎用的なデータ形式によって不良ページ情報を扱うように
構成してもよい。図８は、ＰＤＦデータ（PDF：Portable Document Format）とＪＤＦデ
ータ（JDF：Job Definition Format、JDFはInternational Cooperation for the Integra
tion of Processes in Prepress, Press and Postpressの登録商標）とによって構成され
た画像データに基づいて印刷を行う構成を示すブロック図である。同図８に示す構成は図
１に示す構成とほぼ同様であるが、画像データ４１がＰＤＦデータ４１ａとＪＤＦデータ
４１ｂとによって構成され、不良ページ情報２２ｂがＪＤＦデータ４１ｂに含まれる点が
図１と異なっている。ここで、ＰＤＦデータ４１ａは印刷対象となる複数のページの画像
を示し、ＪＤＦデータ４１ｂは印刷媒体や制作部数などを示す情報を含み、印刷の前工程
，印刷工程，印刷の後工程で参照される情報を含むデータである。なお、本実施形態にお
いて、ＰＤＦデータ４１ａが示す各ページを面付けするための印刷条件はＪＤＦデータ４
１ｂに記述されている。
【００５１】
本実施形態においては、ワークフローサーバ５０が画像データ４１を蓄積しており、当
該ワークフローサーバ５０の操作者が印刷ジョブの実行指示を行うと印刷制御装置１０に
画像データ４１が転送される。この結果、印刷制御装置１０は、図９に示す処理を実行す
る。図９に示す処理も図２に示す処理とほぼ同様であるため、主に図２に示す処理と異な
る処理について説明する。すなわち、図９に示す処理においては、ステップＳ１００にて
画像データ４１を取得した後に画像データ取得部２１ａがＪＤＦデータ４１ｂを取得して
記録媒体２２に当該ＪＤＦデータ４１ｂを記録する（ステップＳ１０２）。次に、当該Ｊ
ＤＦデータ４１ｂを参照して面付けを行う（ステップＳ１０５）。例えば、ＪＤＦデータ
４１ｂに、ジョブチケット（上述の実施形態の印刷条件に相当）として、印刷媒体の大き
さ＝菊判（Ａ４サイズを４枚面付け可能な印刷媒体の大きさ）、仕上がりの印刷媒体の大
きさ＝Ａ４、両面印刷＝実行、綴じ位置＝左側２カ所と指定され、ＰＤＦデータ４１ａが
１６ページ分のデータであるとき、図３Ｂの印刷媒体Ｐf1〜Ｐf4のような面付けがなされ
る。
【００５２】
さらに、このような面付けによって初回印刷を行った後、ステップＳ１２０において不
良ページ情報を取得したときには、記録媒体２２に記録されているＪＤＦデータ４１ｂに
不良ページ情報２２ｂを追記する。そして、ステップＳ１３５においては、ＪＤＦデータ
４１ｂの不良ページ情報２２ｂを参照して不良ページを特定し、再面付けを行う。再面付
けは上述の各種例と同様の処理である。また、図３Ｂのような印刷媒体Ｐf1〜Ｐf4におい
てページ番号１，３，１３，１６のページが不良ページとなったのであれば、図３Ｂに印
刷媒体Ｐr1として示すように不良ページを含む両面について再面付けがなされる。そして
、再度ステップＳ１１０以降の処理が実行されて再面付けに従った印刷が実行される。こ
の結果、両面の一方が不良ページであったとしても適正な両面印刷を行うように再面付け
して印刷を行うことができる。
【００５３】
（４−１）印刷例：
第３実施形態においては各種のジョブチケットに従って再面付けや再印刷を行うことが
でき、図１０においては、ジョブチケットによって印刷媒体の大きさ＝菊判、仕上がりの
印刷媒体の大きさ＝Ａ３、両面印刷＝実行、綴じ位置＝中綴じと指定され、ＰＤＦデータ
４１ａが１６ページ分のデータであるときの例を示している。この構成においては、ステ
ップＳ１０５の面付けにおいて、Ａ３用紙のおもてと裏のそれぞれにＡ４ページが２ペー
ジ分並べられ、中綴じを行ったときに右から左にページをめくるとページ番号の順にペー
ジが現れるように構成している。このため、図１０に印刷媒体Ｐf1，Ｐf2として示すよう
に裏面の右側に左側より小さいページ番号のページを配置し、おもて面の左側に右側より
小さいページ番号のページを配置し、おもてと裏とではページ番号が"１"だけ変化するよ
うな状態で、すべてのページが中綴じで適正に連続するように面付けする。
【００５４】
また、この例において、図１０に示すようにページ番号１，９が不良ページとなったと
きには、当該不良ページに連結されたページ（図１０に示す例ではそれぞれページ番号１
６，８のページ）とこれらのページの裏に相当するページ（図１０に示す例ではページ番
号１，１６に対するページ番号２，１５等）を面付けする。そして、ステップＳ１１０に
て当該再面付けに従って印刷を実行させる印刷データを生成し、ステップＳ１１５にて再
印刷を行わせる。この結果、両面かつ中綴じによって構成される４ページの少なくとも１
つが不良ページとなったとしても、関連する他の３ページを不良ページとともに再面付け
し、適正な再印刷を行わせることができる。
【００５５】
（５）他の実施形態：
以上の実施形態は本発明を実施するための一例であり、不良ページを再面付けして再印
刷することができる限りにおいて、他にも種々の実施形態を採用可能である。例えば、上
述の実施形態においては、印刷部３０の印刷ヘッド３０ａにて印刷媒体の搬送方向に対し
て垂直な方向に主走査を行わない構成としたが、むろん、主走査を行う構成に本発明を適
用しても良い。また、この場合であっても、図６に示す実施例のように、初回の印刷時と
再印刷時とにおいて各画素と各インク吐出ノズルとの対応関係を一致させる構成を採用可
能である。すなわち、主走査および副走査の方式によって予め各画素を構成するためのイ
ンク吐出ノズルが特定されるため、再面付けの際にも予め各画素と各インク吐出ノズルと
の関係を特定し、両者の対応関係が初回の印刷時と再印刷時とで一致するように再面付け
を行えばよい。
【００５６】
さらに、上述の第３実施形態においては、ジョブチケットを含むＪＤＦデータ４１ｂに
よって不良ページ情報を扱う構成としたが、むろん、当該不良ページ情報を記述するデー
タの形式は限定されず、テキスト形式やＸＭＬ形式，バイナリ形式であっても良いし、種
々の構成を採用可能である。また、初回の印刷時と再印刷時とで各画素と各インク吐出ノ
ズルとの対応関係を一致させないのであれば、初回印刷用の印刷ヘッドと再印刷用の印刷
ヘッドとが別体となっている印刷部を構成することも可能である。例えば、再印刷用の印
刷ヘッドとして印刷不良が発生する可能性が低いヘッドを採用する構成とすることが可能
である。さらに、印刷部は画像データが示す画像を印刷することができれば良く、インク
ジェット方式の他、トナーを定着させるための機構を含む電子写真式の印刷を行う印刷部
を構成してもよいし、他の方式の印刷を行う印刷部を構成してもよい。
【図面の簡単な説明】
【００５７】
【図１】印刷制御装置の構成を示すブロック図である。
【図２】印刷制御処理を示すフローチャートである。
【図３】（３Ａ），（３Ｂ）は印刷例を示す図である。
【図４】印刷制御処理を示すフローチャートである。
【図５】印刷例を示す図である。
【図６】印刷制御処理を示すフローチャートである。
【図７】（７Ａ），（７Ｂ）は印刷例を示す図である。
【図８】印刷制御装置の構成を示すブロック図である。
【図９】印刷制御処理を示すフローチャートである。
【図１０】印刷例を示す図である。
【符号の説明】
【００５８】
１０…印刷制御装置、２０…制御部、２１…印刷制御プログラム、２１ａ…画像データ
取得部、２１ｂ…面付け処理部、２１ｃ…印刷制御部、２１ｃ１…画像調整部、２１ｃ２
…色変換処理部、２１ｃ３…ハーフトーン処理部、２１ｄ…不良ページ情報取得部、２１
ｅ…再印刷制御部、２２…記録媒体、２２ａ…印刷データ、２２ｂ…不良ページ情報、３
０…印刷部、３０ａ…印刷ヘッド、３０ｂ…搬送部、３１…検査部、３２…印刷媒体反転
ユニット、４１…画像データ、５０…ワークフローサーバ
【図１】
2009202436.tif 000003
【図２】
2009202436.tif 000004
【図３】
2009202436.tif 000005
【図４】
2009202436.tif 000006
【図５】
2009202436.tif 000007
【図６】
2009202436.tif 000008
【図７】
2009202436.tif 000009
【図８】
2009202436.tif 000010
【図９】
2009202436.tif 000011
【図１０】
2009202436.tif 000012